(57)【特許請求の範囲】
【請求項１】
製品を複数個組み合わせて梱包もしくは包装する際の最適寸法を設定するための複数製品の梱包・包装寸法設定装置であって、Ｘ軸、Ｙ軸およびＺ軸方向の罫線間寸法を同一とした三次元罫線で表わされる三次元マップを表示する表示手段（１）と；前記三次元罫線で規定される立方体（８）の前記三次元マップ上での位置、それらの立方体（８）の組み合わせで構成されるブロック（９２  ）の前記三次元マップ上での姿勢変化、ならびに前記ブロック（９２  ）の三次元マップ上での移動をオペレータの操作に応じて指示することが可能な指示手段（２）と；該指示手段（２）による複数の前記立法体（８）の位置指示に応じて一対の製品にほぼ対応した形状、寸法の一対のブロック（９１  ，９２  ）を前記三次元マップ上に表示する第１のステップと、三次元マップ上で両ブロック（９１  ，９２  ）のうちの一方（９１  ）を固定するとともに他方のブロック（９２  ）の姿勢をオペレータの操作による指示手段（２）の姿勢変化指示に応じて変化させる第２のステップと、姿勢変化後の前記他方のブロック（９２  ）の位置を前記三次元マップ上の固定位置にある前記一方のブロック（９２  ）に相互に干渉しない位置までオペレータの操作による指示手段（２）の移動指示に応じて近接させて両ブロック（９１  ，９２  ）をオペレータがほぼ直方体状と判断する形態で組み合わせる第３のステップと、相互に組み合わされた両ブロック（９１  ，９２  ）から成る組み合わせブロック（９Ｃ  ）の全体外形寸法を確定する第４のステップとを順次経過するように表示手段（１）の表示をオペレータの操作による指示手段（２）の指示に応じて制御する制御手段（３）と；を含むことを特徴とする複数製品の梱包・包装寸法設定装置。
【発明の詳細な説明】
【０００１】
【発明の属する技術分野】
本発明は、製品を複数個組み合わせて梱包もしくは包装する際の最適寸法を設定するための複数製品の梱包・包装寸法設定装置に関する。
【０００２】
【従来の技術】
梱包もしくは包装用のコンテナ、スチールケース、段ボール箱、化粧箱およびプラスチック袋等は、一般的に直方体であるのに対し、自動車部品等の製品は、丸味を帯びた非直方体状のものであることが多く、直方体に極力近似した形状となるように製品同士を現実に組み合わせる作業を行なって、梱包もしくは包装容器への収容効率を向上するようにしている。
【０００３】
【発明が解決しようとする課題】
ところが、上述のような製品同士の組み合わせを行なうためには、製品が実際に存在しなければならず、製品の入手が困難である状態では、梱包もしくは包装容器への収容効率を向上するための、梱包・包装寸法を設定することが不可能である。
【０００４】
本発明は、かかる事情に鑑みてなされたものであり、実際に製品が入手できない状態にあっても、梱包もしくは包装容器に効率よく製品を収容するための梱包・包装寸法を設定することを可能とした複数製品の梱包・包装寸法設定装置を提供することを目的とする。
【０００５】
【課題を解決するための手段】
上記目的を達成するために、本発明は、製品を複数個組み合わせて梱包もしくは包装する際の最適寸法を設定するための複数製品の梱包・包装寸法設定装置であって、Ｘ軸、Ｙ軸およびＺ軸方向の罫線間寸法を同一とした三次元罫線で表わされる三次元マップを表示する表示手段と；前記三次元罫線で規定される立方体の前記三次元マップ上での位置、それらの立方体の組み合わせで構成されるブロックの前記三次元マップ上での姿勢変化、ならびに前記ブロックの三次元マップ上での移動をオペレータの操作に応じて指示することが可能な指示手段と；該指示手段による複数の前記立法体の位置指示に応じて一対の製品にほぼ対応した形状、寸法の一対のブロックを前記三次元マップ上に表示する第１のステップと、三次元マップ上で両ブロックのうちの一方を固定するとともに他方のブロックの姿勢をオペレータの操作による指示手段の姿勢変化指示に応じて変化させる第２のステップと、姿勢変化後の前記他方のブロックの位置を前記三次元マップ上の固定位置にある前記一方のブロックに相互に干渉しない位置までオペレータの操作による指示手段の移動指示に応じて近接させて両ブロックをオペレータがほぼ直方体状と判断する形態で組み合わせる第３のステップと、相互に組み合わされた両ブロックから成る組み合わせブロックの全体外形寸法を確定する第４のステップとを順次経過するように表示手段の表示をオペレータの操作による指示手段の指示に応じて制御する制御手段と；を含むことを特徴とする。
【０００６】
このような構成によれば、梱包・包装すべき一対の製品に近似した一対のブロックを表示手段の三次元マップ上に表示せしめ、両ブロックの一方を固定した状態で、他方のブロックをその姿勢を変化させつつ一方のブロックに近接させ、相互の干渉を回避しつつ両ブロックをほぼ直方体状に組み合わせて組み合わせブロックを構成する処理を、表示手段の三次元マップを見ながらのオペレータの操作に伴なう指示手段の指示で制御手段が実行することになり、一対の製品にほぼ対応した三次元形状のブロックを梱包・包装容器に効率的に収容し得る直方体状に組み合わせていくことができ、現実の製品が入手できなくても、梱包もしくは包装容器に効率よく製品を収容するための梱包・包装寸法を設定することができる。
【０００７】
【発明の実施の形態】
以下、本発明の実施の形態を、添付図面に示した本発明の一実施例に基づいて説明する。
【０００８】
図１〜図５は本発明の一実施例を示すものであり、図１は梱包・包装寸法設定装置の構成を示す図、図２は表示手段に表示される三次元マップを示す図、図３は三次元マップ上に一対のブロックが表示された状態を示す図、図４は一方のブロックが固定された状態で他方のブロックが姿勢変化をする状態を順次示す図、図５は固定された一方のブロックに姿勢変化後の他方のブロックが近接していく状態を順次示す図である。
【０００９】
先ず図１において、この梱包・包装寸法設定装置は、パーソナルコンピュータ（パソコン）として用いられているものであり、ＣＲＴディスプレイもしくは液晶ディスプレイ等の表示手段１と、キーボードやマウス等の指示手段２と、パソコン本体６に内蔵される制御手段３とを備える。
【００１０】
制御手段３は、相互間での信号の授受を可能として接続されるマイクロプロセッサ４およびメモリ５で構成されるものであり、指示手段２からの信号はパソコン本体６内の入・出力インターフェース７を介してマイクロプロセッサ４に入力され、マイクロプロセッサ４からの信号は入・出力インターフェース７を介して表示手段１に入力される。
【００１１】
表示手段１は、図２で示すように、Ｘ軸、Ｙ軸およびＺ軸方向の罫線間寸法を同一とした三次元罫線で表わされる三次元マップを画面１ａに表示可能であり、指示手段２の指示に伴なうマイクロプロセッサ４からの信号により、前記画面１ａでの三次元マップの罫線間寸法は大小に変更される。
【００１２】
指示手段２は、前記表示手段１における三次元罫線で規定される立法体の前記三次元マップ上での位置、それらの立方体の組み合わせで構成されるブロックの前記三次元マップ上での姿勢変化、ならびに前記ブロックの三次元マップ上での移動をオペレータの操作に応じて指示することが可能である。
【００１３】
制御手段３は、指示手段２の指示に基づいて表示手段１の表示状態を制御するものであり、次のような第１〜第４のステップを順次経過して表示手段１の表示状態を順次変化させるとともに、最終的な梱包・包装寸法を演算する機能を果す。
【００１４】
第１のステップでは、指示手段２の指示に基づいて梱包・包装すべき製品に対応した寸法の一対のブロックを表示手段１の前記三次元マップ上に表示する処理を制御手段３が実行する。
【００１５】
この第１のステップにおいて、オペレータは、梱包・包装すべき製品の三次元寸法に基づいて、前記製品にほぼ対応した三次元形状のブロックを組み合わせによって構成する複数の立法体を予め設定しておき、指示手段２によって、設定した前記立法体の寸法に応じた三次元罫線の間隔を指示するとともに、各立法体の位置を指示する。これにより、図３で示すように、画面１ａの三次元マップ上に、複数の立法体８，８…から成る一対のブロック９１  ，９２  が、製品にほぼ対応した形状、寸法を有するものとして相互に間隔をあけた位置に表示されることになる。この際、製品において外部との接触を回避すべき重要管理ポイントを予め定めておき、各ブロック９１  ，９２  が、その重要管理ポイントを必ず含むように前記ブロック９１  ，９２  の三次元形状を定めることが必要である。
【００１６】
第２のステップは、図４で示すように、三次元マップ上に表示されている一対のブロック９１  ，９２  のうち一方のブロック９１  を前記三次元マップ上で固定するとともに、他方のブロック９２  の姿勢を変化させる処理を、オペレータの操作による指示手段２の指示に基づいて制御手段３が実行する。
【００１７】
すなわち、図４（ａ）で示すように、一方のブロック９１  を三次元マップ上に固定しておき、その一方のブロック９１  に他方のブロック９２  を組み合わせたときにオペレータがほぼ直方体状となったと判断し得る姿勢となるように、図４（ａ）から図４（ｂ）を経過して図４（ｃ）となるまで、他方のブロック９２  の姿勢をＸ軸、Ｙ軸およびＺ軸のまわりにそれぞれ回動せしめるように、制御手段３がオペレータの操作による指示手段２からの姿勢変化指示に基づいて表示手段１での前記他方のブロック９２  の表示を変化させることになる。
【００１８】
この際、両ブロック９，９２  の表示色を異ならせておくことにより、第３のステップ以降でのオペレータの操作が容易となる。
【００１９】
第３のステップは、姿勢変化後の他方のブロック９２  の位置を固定位置にある一方のブロック９１  に相互に干渉しない位置までオペレータの操作による指示手段２の移動指示に応じて近接させて両ブロック９１  ，９２  をほぼ直方体状に組み合わせる処理を制御手段３が実行する。
【００２０】
すなわち図４（ｃ）で示したように、両ブロック９１  ，９２  が三次元マップ上で相互に離隔した位置にある状態から、オペレータの操作による指示手段２の移動指示に基づき、制御手段３は、図５（ａ）〜（ｃ）を経過して図５（ｄ）となるまで、一方のブロック９１  に近接するように三次元マップ上で他方のブロック９２  を移動させる。
【００２１】
このような他方のブロック９２  の一方のブロック９１  への近接移動時に、両ブロック９１  ，９２  が相互に干渉しないように、制御手段３は両ブロック９１  ，９２  の三次元マップ上の位置を判断し、干渉が生じたときに、表示手段１の画面１ａ上に干渉が生じた旨を、たとえば両ブロック９１  ，９２  の表示色を変化させる等により表示することができる。そうすれば、オペレータは、その干渉が生じた旨の表示に応じて他方のブロック９２  を後戻りさせるように指示手段２を操作すればよく、図５（ｄ）で示すように、両ブロック９１  ，９２  でほぼ直方体状の組み合わせブロック９Ｃ  が構成されたとオペレータが判断するまで、他方のブロック９２  を一方のブロック９１  に近接させたときに、オペレータが移動指示操作を終了することに応じて前記他方のブロック９２  の移動が終了する。
【００２２】
第４のステップは、図５（ｄ）で示した組み合わせブロック９Ｃ  のＸ軸、Ｙ軸およびＺ軸寸法を確定する演算を制御手段３が実行するものであり、図５（ｄ）で示したように組み合わせブロック９Ｃ  が構成された状態でのオペレータの操作による指示手段２の指示に基づき、制御手段３は、組み合わせブロック９Ｃ  の寸法を確定することになる。
【００２３】
このようにして一対の製品にほぼ対応した三次元形状のブロック９１  ，９２  によるほぼ直方体状の組み合わせブロック９Ｃ  が表示手段１に表示されるとともに、その組み合わせブロック９Ｃ  の寸法が確定されることになる。
【００２４】
次にこの実施例の作用について説明すると、梱包・包装すべき製品に近似した三次元形状の一対のブロック９１  ，９２  を表示手段１の三次元マップ上に表示せしめ、両ブロック９１  ，９２  の一方９１  を固定した状態で、他方のブロック９２  をその姿勢を変化させつつ一方のブロック９１  に近接させ、相互の干渉を回避しつつ両ブロック９１  ，９２  をほぼ直方体状に組み合わせて組み合わせブロック９Ｃ  を構成する処理を、表示手段１の三次元マップを見ながらのオペレータの操作に伴なう指示手段２の指示で制御手段３が実行することになる。
【００２５】
したがって梱包・包装容器に効率的に収容可能な直方体状に一対の製品を組み合わせたときの梱包・包装寸法を、現実の製品が入手できなくても設定することができ、梱包もしくは包装容器に効率よく製品を収容するための梱包・包装寸法を効果的に設定することができる。
【００２６】
以上、本発明の実施例を詳述したが、本発明は上記実施例に限定されるものではなく、特許請求の範囲に記載された本発明を逸脱することなく種々の設計変更を行なうことが可能である。
【００２７】
【発明の効果】
以上のように本発明によれば、梱包・包装容器に効率的に収容し得る直方体状に一対の製品に近似した三次元形状のブロックを組み合わせていくことにより、現実の製品が入手できなくても、梱包もしくは包装容器に効率よく製品を収容するための梱包・包装寸法を設定することができる。
【図面の簡単な説明】
【図１】梱包・包装寸法設定装置の構成を示す図である。
【図２】表示手段に表示される三次元マップを示す図である。
【図３】三次元マップ上に一対のブロックが表示された状態を示す図である。
【図４】一方のブロックが固定された状態で他方のブロックが姿勢変化をする状態を順次示す図である。
【図５】固定された一方のブロックに姿勢変化後の他方のブロックが近接していく状態を順次示す図である。
【符号の説明】
１・・・表示手段
２・・・指示手段
３・・・制御手段
８・・・立方体
９１  ，９２  ・・・ブロック
９Ｃ  ・・・組み合わせブロック
【図１】
0003554491.tif 000002
【図２】
0003554491.tif 000003
【図３】
0003554491.tif 000004
【図４】
0003554491.tif 000005
【図５】
0003554491.tif 000006